(57)【要約】 【課題】  仏教の伝統に基づく葬祭用照明装置としての宗教的重厚感と、さらなる宗教的光彩効果の向上を目指して、逝く死者の安らかな成仏と冥福を祈る心情を現出する葬祭用照明装置を提供する。【解決手段】  上面を笠部２で包覆した透明または半透明の筒体３を、光源を内蔵する基台４上に立設し、その内部に光彩管９を配置して葬祭用照明装置１を構成するに、上記基台４の上面に、ループ状をなす有端の光彩管９を立姿状に固定し、かつ上記光源を、多色発光機能を有する一対の発光ダイオード部１１ａ、１１ｂで構成すると共に、上記光彩管９の両端を、光源の各発光ダイオード部１１ａ、１１ｂの発光面にそれぞれ面接し、当該各発光ダイオード部１１ａ、１１ｂから伝搬される彩色光の干渉作用で光彩管９の発光色を経時的に変化させるようにした。【選択図】  図２
2006210020.tif 000002
【特許請求の範囲】
【請求項１】
上面を笠部で包覆した透明または半透明の筒体を、光源を内蔵する基台上に立設し、その内部に光彩管を配置して葬祭用照明装置を構成するに、上記基台の上面に、ループ状をなす有端の光彩管を立姿状に固定し、かつ上記光源を、多色発光機能を有する一対の発光ダイオード部で構成すると共に、上記光彩管の両端を、光源の各発光ダイオード部の発光面にそれぞれ面接し、当該各発光ダイオード部から伝搬される彩色光の干渉作用で光彩管の発光色を経時的に変化させるように構成したことを特徴とする葬祭用照明装置。
【請求項２】
上記光彩管は、可撓性を有する単一の透明樹脂柱、または装飾用の樹脂製光ファイバを複数結束したものであることを特徴とする請求項１記載の葬祭用照明装置。
【発明の詳細な説明】
【技術分野】
【０００１】
本発明は、祭壇を構成する式台上に載置される葬祭用照明装置に係り、特に光源からの発光作用を絶妙に組み合わせることにより、彩光色を経時的に変化させて、祭壇の雰囲気に適した幽玄な宗教的光彩効果を創出することができる葬祭用照明装置に関するものである。
【背景技術】
【０００２】
一般に、葬事において死者の霊魂に対する惜別の情を現わす上で、式台上に雪洞、灯篭等の葬祭用照明装置を載置することが広く知られているが、従来の葬祭用照明装置では、蝋燭、電球等により一定の照明作用を行うのみであったため単なる付属物としての域を出ず、祭壇の雰囲気に見合う宗教的光彩効果には程遠いものであった。
【０００３】
例えば、光源を内蔵した基台上に、低沸点発泡液体を封入した起泡管や封入液体に微小な反射片を混入した透明筒管を適宜に組み合わせ、光源による加熱で発生する気泡と上下に対流する反射片の反射作用の相乗効果で、光の変化を創出するように構成した葬祭用照明装置や、祭壇外部に高輝度ＬＥＤを配置して、棺や祭壇と違和感なく調和するものでありながら、荘厳で華やかな雰囲気を醸し出す宗教的光彩効果を目的とした祭壇、等が提案されている。
【特許文献１】特願平１−１７４９６２
【特許文献２】特開２００４−２１５７９９
【０００４】
上記特許文献１の葬祭用照明装置では、光源の利用による画期的な宗教的効果を奏するものの、気泡の対流と反射片の反射作用を利用する構成であるため、とかく機械的な印象を見る者に与えて宗教的重厚感が損なわれてしまい、折角の宗教的光彩効果も薄らいで充実した感銘を得ることが出来なくなる、という惧れがあり、また、特許文献２の祭壇においても同様に、電子的な祭壇構成の印象が前面に出てしまい、それぞれ改善の余地を残すものであった。
【発明の開示】
【発明が解決しようとする課題】
【０００５】
本発明は上記の如き実状に鑑み葬祭用照明装置の研究、開発過程において創案されたものであって、その意図とするところは、電子的な構成を有するものでありながら、安易で華美な構成を排して葬祭用照明装置としての原点に立ち返り、幽玄な光の変化のみで、仏教の伝統に基づく葬祭用照明装置としての宗教的重厚感と光彩効果の向上を目指し、逝く死者の安らかな成仏と冥福を祈る心情を装置全体で自然に現出することができ、より一層宗教的な効果を創出できる葬祭用照明装置を提供しようとするものである。
【課題を解決するための手段】
【０００６】
課題を解決するため、本発明が採用した第１の技術手段は、上面を笠部で包覆した透明または半透明の筒体を、光源を内蔵する基台上に立設し、その内部に光彩管を配置して葬祭用照明装置を構成するに、上記基台の上面に、ループ状をなす有端の光彩管を立姿状に固定し、かつ上記光源を、多色発光機能を有する一対の発光ダイオード部で構成すると共に、上記光彩管の両端を、光源の各発光ダイオード部の発光面にそれぞれ面接し、当該各発光ダイオード部から伝搬される彩色光の干渉作用で光彩管の発光色を経時的に変化させるように構成したことを特徴とするものである。
【０００７】
本発明が採用した第２の技術手段は、上記光彩管は、可撓性を有する単一の透明樹脂柱、または装飾用の樹脂製光ファイバを複数結束したものであることを特徴とするものである。
【発明の効果】
【０００８】
したがって、本発明によれば、電子的な構成を採用するものでありながら、仏教の伝統に基づく宗教的重厚感と光彩効果を、幽玄な彩色光の無限な変化に基づく雰囲気の中でより一層際だたせ、宗教的な意味合いを深めつつ、逝く死者の安らかな成仏と冥福を祈る心情を装置全体で現出し得て祭壇の厳かな雰囲気を高く盛り上げることができる。
【発明を実施するための最良の形態】
【０００９】
基台の上面に、ループ状をなす有端の光彩管を立姿状に固定し、かつ光源を多色発光機能を有する一対の発光ダイオード部で構成すると共に、上記光彩管の両端を、光源の各発光ダイオード部の発光面にそれぞれ面接し、当該各発光ダイオード部から伝搬される彩色光の干渉作用で光彩管の発光色を経時的に変化させるように葬祭用照明装置を構成する。
【実施例１】
【００１０】
本発明の構成を、図面に示した一実施例ついて詳細に説明する。   図１および図２において、１は葬祭用照明装置であって、該葬祭用照明装置１は、笠部２、筒体３および基台４から構成されており、当該各構成材２〜４はそれぞれの上下部位で着脱自在に係合されていると共に、上記笠部２を形成する屋根５には、その外周縁の所定位置に鳳凰飾り６ａを一体形成した支持杆６を介して瑶珞垂飾体７、７…が吊持され、更に笠部２の頂部に火炎を模した飾り８が固定されて葬祭用照明装置１が構成されている。 
【００１１】
上記基台４には、その上部中央に位置して、可撓性を有する単一の透明樹脂柱をループ状に曲成して形成された有端の光彩管９が、ソケット１０を介して立姿状に配設されていると共に、上記ソケット１０に差し込まれた光彩管９ａの両端面に、下方から面接する一対の発光ＬＥＤ１１ａ、１１ｂが当該ソケット１０に内装されており、基台４の底部に配置した電源部１１（実施例では直流４.５Ｖ）からの電力供給により、上記発光ＬＥＤ１１ａ、１１ｂをそれぞれ発光させて、光彩管９の両端部から伝搬される彩色光の干渉作用で発光色を経時的に変化させるように構成されている。なお、１２は電源スイッチ、１２ａ、１２ａは電流制限抵抗、１３ａ、１３ｂは光彩管９の背面に位置して立設した反射鏡である。
【００１２】
ここで、上記発光ＬＥＤ１１ａ、１１ｂは赤、緑、青の発光色を有し、内蔵コントロールＩＣの制御により発光色を変化させるように機能するものであり、当該各発光ＬＥＤ１１ａ、１１ｂの発光色制御は、次のようになっている。
発光ＬＥＤ１１ａ（切替点滅）：赤色点灯→消灯→緑色点灯→消灯→青色点灯   発光ＬＥＤ１１ｂ（連続点灯）：赤色→経時色変化→緑色→経時色変化→青色 
【００１３】
そして、上記各発光ＬＥＤ１１ａ、１１ｂの切替点滅と連続点灯の変化周期を異ならせておくことで、伝搬される彩色光の干渉作用に対し、経時的にずれを生じさせて無限の色変化（色相変化）が連続的に継続されるようになっている。
【００１４】
すなわち、図３に示すように、赤、緑、青を三要素とした「色相環」に基づいて説明すると、例えば、発光ＬＥＤ１１ａが「赤」に点灯、発光ＬＥＤ１１ｂが「緑」であった場合に、光彩管９内では、この各色の干渉作用で黄緑〜黄〜黄赤の色範囲で色変化が連続して生じる。また、この時、光彩管９内における各色の時間的な伝搬遅れと、各ＬＥＤ１１ａ、１１ｂの切替点滅または連続点灯の時間周期による色変化も同時に進行しているので、結果として、干渉で生じる色変化の順序を予測し得ない無限の組み合わせで色変化の干渉作用が行われることになる。
【００１５】
したがって、宗教的重厚感を際だたせる幽玄な光彩効果を葬祭用照明装置１全体に付与することができ、これを見る者に亡き人の安らかな成仏を感じさせて、人間終焉のセレモニーに相応した祭壇の雰囲気を醸し出すことができ、葬事に参列した会葬者に一層の瞑想と一色是空の心情を誘発させることができる。
【００１６】
なお、本実施例では、単一の透明樹脂柱を用いて光彩管９を構成したが、これに限定されるものではなく、装飾用の樹脂製光ファイバ（直径０.５ｍｍ〜２ｍｍ）を複数本結束して光彩管９を構成してもよい。また、発光ＬＥＤ１１ａ、１１ｂの電源として直流電源の外に、家庭用交流電力をＡＣ/ＤＣコンバータや整流回路で直流電力に変換する電源回路構成を採用することも可能である。 
【産業上の利用可能性】
【００１７】
一対の発光ＬＥＤをユニット化し、様々な長さおよび形状の光彩管と組み合わせることにより、単体の葬祭用照明装置にとどまらず、祭壇やその他の比較的規模の大きい葬祭用設備、用具に組み込み機器として構成することが可能である。
【図面の簡単な説明】
【００１８】
【図１】本発明の全体正面図である。
【図２】発光ＬＥＤの接続状態を示す一部拡大縦断面図である。
【図３】色相環の説明図である。
【符号の説明】
【００１９】
１    葬祭用照明装置 ２    笠部 ３    筒体 ４    基台 ９    光彩管 １１ａ    発光ダイオード部（発光ＬＥＤ） １１ｂ    発光ダイオード部（発光ＬＥＤ）
【図１】
2006210020.tif 000003
【図２】
2006210020.tif 000004
【図３】
2006210020.tif 000005